(57)【要約】【課題】温室の両屋根の傾斜にそれぞれ天窓を設ける場合であっても、前記開閉アームを梁毎に設置でき、天窓を開閉する前記開閉手段を載置するための支持梁や固定梁を設ける必要がない温室の天窓の開閉構造を提供することを目的とする。【解決手段】温室１０の両屋根に設けられる天窓２０（２０ａ，２０ｂ）を開閉する天窓の開閉構造３０であって、前記開閉構造３０は、温室１０の屋根の幅方向に架設される梁１２，１２０の上に並行に配置され水平方向にそれぞれ移動する駆動軸３４（３４ａ，３４ｂ）と、前記駆動軸３４（３４ａ，３４ｂ）に取り付けられ前記天窓２０（２０ａ，２０ｂ）を開閉する開閉アーム５０（５０ａ，５０ｂ）とを備え、前記梁１２，１２０の上に両屋根に設けられる一の天窓２０ａを開閉する駆動軸３４ａと他の天窓２０ｂとを開閉する駆動軸３４ｂを備えるよう構成した。【選択図】    図６
2017192311.tif 000002
【特許請求の範囲】
【請求項１】
温室の両屋根に設けられる天窓を開閉する天窓の開閉構造であって、
前記開閉構造は、温室の屋根の幅方向に架設される梁の上に並行に配置され水平方向にそれぞれ移動する駆動軸と、前記駆動軸に取り付けられ前記天窓を開閉する開閉アームとを備え、
前記梁の上に両屋根に設けられる一の天窓を開閉する駆動軸と他の天窓とを開閉する駆動軸を備えることを特徴とする温室の天窓の開閉構造。
【請求項２】
前記梁がトラス梁であることを特徴とする請求項１に記載の温室の天窓の開閉構造。
【請求項３】
前記開閉アームは、前記天窓を開閉する場合に、一の開閉アームが他の開閉アームと抵触しない形状に形成されてなることを特徴とする請求項１又は２に記載の温室の天窓の開閉構造。
【請求項４】
請求項１乃至３の何れか一に記載の温室の天窓の開閉構造を備えることを特徴とする農業用温室。
【発明の詳細な説明】
【技術分野】
【０００１】
本発明は、温室の天窓開閉構造に関するものであり、より詳しくは、例えば、農業用温室等の屋根に開閉自在に取り付けられる天窓を開閉アームの進退により開閉させる温室の天窓開閉構造及びそれを備えた農業用温室に関する。
【背景技術】
【０００２】
従来、農業用温室の屋根に開閉自在に取り付けられる天窓をアームの進退により開閉させる温室の天窓開閉構造については、本件出願人が出願した特開２００６−１３６２３７号（特許文献１）に記載のものが公知である。
【０００３】
前記特許文献１に記載の温室の天窓開閉構造は、農業用温室の横方向と奥行方向に適宜間隔で立設される多数の支柱のうち、横方向に向けて支柱間にトラス梁を架設し、前記トラス梁の上部に天窓開閉構造を設けている。前記天窓開閉構造は、電動モータ、ピニオンおよびラックを備えており、前記トラス梁上を前記ラックが横方向に水平移動することにより、前記ラックに上方に向けて回動自在に取り付けた開閉アームを、揺動させながら上下動させて、これにより、該開閉アームの先端に取り付けた前記天窓の下側縁を上下動させて前記天窓の開放および閉鎖を行っている。
【０００４】
一方、農業用温室の屋根の両側面に取り付けた天窓を開閉するための天窓開閉構造としては、例えば、特開２０１２−１００５４５号（特許文献２）に記載の天窓開閉構造が公知である。
【０００５】
前記特許文献２に記載の天窓開閉構造は、水平に設置されたトラス梁と、前記トラス梁の上部に屋根部材として形成される屋根トラスと、前記屋根部材に形成された天窓と、前記屋根トラスの上端部に横方向に長く形成され、多数が縦方向に配列されたオープンヒンジと、前記屋根トラスの外側の傾斜した両面にそれぞれ形成されて前記換気窓を開閉するが、その上部が前記オープンヒンジに回動可能に両方向に結合して、左右に互いに面接しつつ横方向に連動設置された多数の第１開閉部材及び第２開閉部材と、前記第１開閉部材及び第２開閉部材の下部を支持し、その下部を押したり引っ張って多数の前記第１開閉部材及び第２開閉部材をそれぞれヒンジを中心として両側の左右方向に回動させる駆動手段とを備え、前記駆動手段は、別途設置する支持梁や固定梁に載せられて支持されている。
【先行技術文献】
【特許文献】
【０００６】
【特許文献１】特開２００６−１３６２３７号公報
【特許文献２】特開２０１２−１００５４５号公報
【発明の開示】
【発明が解決しようとする課題】
【０００７】
しかしながら、前記特許文献１に記載の天窓開閉構造は、屋根の片方にのみ天窓を設けた温室に好適に適用されるものであるが、両屋根の傾斜にそれぞれ天窓を設ける場合（両天窓）には適用することはできない。
【０００８】
また、前記特許文献２の天窓開閉構造においては、前記農業用温室を構成する構成部材の他に、天窓を開閉する前記開閉手段を載置するための支持梁や固定梁を設ける必要がある。
【０００９】
本発明は、かかる事情に鑑みてなされたものであって、両屋根の傾斜にそれぞれ天窓を設ける場合であっても、一の天窓を開閉する前記開閉アームと他の天窓を開閉する前記開閉アームとを一の梁に設置でき、天窓を開閉する前記開閉手段を載置するための支持梁や固定梁を別途設ける必要がない温室の天窓の開閉構造を提供することを目的とする。
【００１０】
さらに本発明の他の目的は、前記天窓を開閉する場合に、前記開閉アームが抵触せずに開閉作動を行うことができる温室の天窓の開閉構造を提供することを目的とする。
【課題を解決するための手段】
【００１１】
請求項１に記載の温室の天窓の開閉構造は、温室の両屋根に設けられる天窓を開閉する天窓の開閉構造であって、前記開閉構造は、温室の屋根の幅方向に架設される梁の上に並行に配置され水平方向にそれぞれ移動する駆動軸と、前記駆動軸に取り付けられ前記天窓を開閉する開閉アームとを備え、前記梁の上に両屋根に設けられる一の天窓を開閉する駆動軸と他の天窓とを開閉する駆動軸を備えることを特徴とする。
【００１２】
請求項１に記載の温室の天窓の開閉構造にあっては、天窓を開閉する前記開閉手段を載置するための支持梁や固定梁を別途設けることなく、一の天窓を開閉する前記開閉アームと他の天窓を開閉する前記開閉アームとを一の梁に設置することができる。
【００１３】
請求項２に記載の温室の天窓の開閉構造は、請求項１に記載の温室の天窓の開閉構造であって、前記梁がトラス梁であることを特徴とする。
【００１４】
請求項２に記載の温室の天窓の開閉構造にあっては、請求項１に記載の温室の天窓の開閉構造において、前記梁の剛性を増すことができ、天窓の開閉構造の剛性を増すことができる。
【００１５】
請求項３に記載の温室の天窓の開閉構造は、請求項１又は２に記載の温室の天窓の開閉構造を備え、前記開閉アームは、前記天窓を開閉する場合に、一の開閉アームが他の開閉アームと抵触しない形状に形成されてなることを特徴とする。
【００１６】
請求項３に記載の温室の天窓の開閉構造にあっては、一の前記梁に前記駆動軸を近接して並行し設置する場合であっても、前記天窓を開閉する場合に、一の開閉アームが他の開閉アームと抵触せずに開閉することができる。
【００１７】
請求項４に記載の農業用温室は、請求項１乃至３の何れか一に記載の温室の天窓の開閉構造を備えることを特徴とする。
【００１８】
請求項４に記載の農業用温室にあっては、天窓を開閉する前記開閉手段を載置するための支持梁や固定梁を別途設けることなく、一の天窓を開閉する前記開閉アームと他の天窓を開閉する前記開閉アームとを一の梁に設置することができる。また、前記梁がトラス梁である場合は、前記梁の剛性を増すことができ、天窓の開閉構造の剛性を増すことができる。さらに、前記開閉アームは、前記天窓を開閉する場合に、一の開閉アームが他の開閉アームと抵触しない形状に形成されているので、一の前記梁に前記駆動軸を並行して設置する場合であっても、前記天窓を開閉する場合に、一の開閉アームが他の開閉アームと抵触せずに開閉することができる。
【発明の効果】
【００１９】
請求項１に記載の温室の天窓の開閉構造によれば、温室の両屋根に設けられる天窓を開閉する天窓の開閉構造であって、前記開閉構造は、温室の屋根の幅方向に架設される梁の上に並行に配置され水平方向にそれぞれ移動する駆動軸と、前記駆動軸に取り付けられ前記天窓を開閉する開閉アームとを備え、前記梁の上に両屋根に設けられる一の天窓を開閉する駆動軸と他の天窓とを開閉する駆動軸を備えているので、天窓を開閉する前記開閉手段を載置するための支持梁や固定梁を別途設けることなく、一の天窓を開閉する前記開閉アームと他の天窓を開閉する前記開閉アームとを一の梁に設置することができる。
【００２０】
請求項２に記載の温室の天窓の開閉構造によれば、請求項１に記載の温室の天窓の開閉構造であって、前記梁がトラス梁で構成しているので、請求項１に記載の温室の天窓の開閉構造の効果に加えて、前記梁の剛性を増すことができ、天窓の開閉構造の剛性を増すことができる。
【００２１】
請求項３に記載の温室の天窓の開閉構造によれば、請求項１又は２に記載の温室の天窓の開閉構造であって、前記開閉アームは、前記天窓を開閉する場合に、一の開閉アームが他の開閉アームと抵触しない形状に形成されてなるので、一の前記梁に前記駆動軸を近接して並行し設置する場合であっても、前記天窓を開閉する場合に、一の開閉アームが他の開閉アームと抵触せずに開閉することができる。
【００２２】
請求項４に記載の農業用温室によれば、請求項１乃至３の何れか一に記載の温室の天窓の開閉構造を備えているので、天窓を開閉する前記開閉手段を載置するための支持梁や固定梁を別途設けることなく、一の天窓を開閉する前記開閉アームと他の天窓を開閉する前記開閉アームとを一の梁に設置することができる。また、前記梁がトラス梁である場合は、前記梁の剛性を増すことができ、天窓の開閉構造の剛性を増すことができる。さらに、前記開閉アームは、前記天窓を開閉する場合に、一の開閉アームが他の開閉アームと抵触しない形状に形成されているので、一の前記梁に前記駆動軸を並行して設置する場合であっても、前記天窓を開閉する場合に、一の開閉アームが他の開閉アームと抵触せずに開閉することができる。
【図面の簡単な説明】
【００２３】
【図１】本発明にかかる農業用温室の概略部分斜視図である。
【図２】本発明にかかる農業用温室の平面図である。
【図３】図２の部分拡大平面図である。
【図４】図３の部分拡大平面図である。
【図５】本発明にかかる農業用温室の部分正面図である。
【図６】天窓の開閉構造を示す部分拡大正面図である。
【図７】図６のＡ−Ａ視概略端面図である。
【図８】図６のＢ−Ｂ視概略端面図である。
【図９】図６のＣ−Ｃ視概略端面図である。
【図１０】天窓の閉状態を示す内部からの概略図である。
【図１１】天窓の開状態を示す内部からの概略図である。
【図１２】他の実施例を示す部分拡大正面図である。
【発明を実施するための最良の形態】
【００２４】
以下、本発明を実施するための最良の形態を図面に基づいて具体的に説明する。
【００２５】
図１は本発明にかかる農業用温室の概略部分斜視図であり、図２は農業用温室の平面図であり、図３は図２の部分拡大平面図であり、図４は図３の部分拡大平面図であり、図５は農業用温室の部分正面図であり、図６は天窓の開閉構造を示す部分拡大正面図である。なお、図１において開閉アームの記載は省略している。
【００２６】
図１乃至図６において、１０は農業用温室であり、１１は支柱である。該支柱１１は、横方向と奥行方向に夫々複数本が立設されており、該支柱１１の上部には横方向Ｘに向けてトラス梁１２を架設し、前記トラス梁１２の上には、横方向Ｘに４つのアーチを形成して、全体として４棟からなる連棟形式としている。また、前記トラス梁１２と直交する奥行方向Ｙにおいて長尺のアーチ受材１３を架設している。
【００２７】
前記アーチ受材１３には奥行方向に向けて円弧状のアーチパイプ１４が多数並設されており、該アーチパイプ１４は、天頂部において、略く字状に屈曲した円筒形状のアーチパイプ接続具１５により、突合状態で、逆斜面のアーチパイプ１４と連結されている。
【００２８】
前記アーチパイプ１４の下面には、前記アーチパイプ１４と直交して長尺状のもや材１７が配設されており、該もや材１７は結束部材１８により前記アーチパイプ１４の下面に固定されている。前記もや材１７の上方には、天窓支持材１９が前記もや材１７と並行に架設され、前記アーチパイプ１４に螺着されている。
【００２９】
前記アーチパイプ接続具１５の上部には、奥行方向に向けて、長尺状の棟部材１６がボルトとナットにより接合されており、前記棟材１６の上部両側にはヒンジ受部（図示せず）を形成して、前記棟材１６の上部両側に後述する天窓上枠材２１のヒンジ部材２４，２４を回動自在に抱持している。
【００３０】
図中２０は天窓であり、前記天窓２０は、一棟につき、前記棟部材１６の両傾斜にそれぞれ天窓２０ａと天窓２０ｂの２つの天窓２０ａ，２０ｂを備えている。
【００３１】
前記天窓は、長尺状の天窓上枠材２１と長尺状の天窓下枠材２２との間に、複数個の縦桟２３を架設して構成されており、前記天窓上枠材２１の端部にはヒンジ部材２４が形成されており、前記棟部材に対して回動自在に取り付けられている。一方、前記天窓下枠材２２の下端部には、後述する開閉アームが回動自在に固定されている。
【００３２】
図７は図６（天窓の開閉構造を示す部分拡大正面図）のＡ−Ａ視概略端面図であり、図８は同Ｂ−Ｂ視概略端面図であり、図９は同Ｃ−Ｃ視概略端面図である。
【００３３】
本発明に係る天窓の開閉構造３０は、図７乃至図９に更に詳細に示すように、前記天窓２０ａ及び前記天窓２０ｂとを夫々独立して開閉できるように、電動モータ３１（３１ａ，３１ｂ）、回転シャフト３２（３２ａ，３２ｂ）、スライドバー３４（３４ａ，３４ｂ）、ラック３７（３７ａ，３７ｂ）及び開閉アーム５０（５０ａ，５０ｂ）を、夫々２系統となるように備えており、前記トラス梁１２上を２系統の前記スライドバー３４ａ，３４ｂが横方向に水平移動することにより、前記スライドバー３４ａ，３４ｂに回動自在に取り付けたそれそれの開閉アーム５０ａ，５０ｂを、揺動させながら上下動させて、これにより、該開閉アーム５０ａ，５０ｂの先端に取り付けたそれぞれの前記天窓２０ａ，２０ｂの下縁部を上下動させて前記天窓２０ａ，２０ｂの開放および閉鎖を行っており、前記スライドバー３４ａ，３４ｂを一の前記トラス梁１２上に配置して構成している。
【００３４】
前記電動モータ３１は、適宜の前記トラス梁１２の上又は前記トラス梁１２に基台又は架設部材を設けてその上に設置しており、前記天窓２０ａの開閉を行う前記電動モータ３１ａと、前記天窓２０ｂの開閉を行う前記電動モータ３１ｂとを設置している。なお、前記電動モータ３１は減速装置（図示せず）を備えている。
【００３５】
前記電動モータ３１ａ，３１ｂには、それぞれ奥行方向Ｙに向けて長軸の回転シャフト３２ａ，３２ｂが連結されており、前記回転シャフト３２ａ，３２ｂは前記トラス梁１２上に固定される回転シャフト支持部材３３，３３・・により回動自在に支持されている。
【００３６】
一方、前記トラス梁１２上には前記トラス梁１２上を長さ方向に水平移動するスライドバー３４ａ，３４ｂを、前記トラス梁１２毎に２本並行して配置している。前記スライドバー３４ａ，３４ｂは、前記トラス梁１２上に配置される幅広の基台３５，３５・・の上に、奥行方向に２個列べて固定されるスライドバー支持部材３６，３６を介して、前記トラス梁１２の長さ方向（横方向Ｘ）に向けて水平移動することができる。
【００３７】
なお、前記基台３５は、角パイプ材の両端を、下面長さを前記トラス梁１２の幅と同様の長さとし、上面長さを下面長さより長く形成するように、斜めに切り落として形成されている。
【００３８】
前記スライドバー３４（３４ａ，３４ｂ）には、前記回転シャフト３２（３２ａ，３２ｂ）の対応する箇所に設けられるピニオンギア３９と噛合するラック３７（３７ａ，３７ｂ）をラック固定部材３８，３８により取り付けており、前記ラック３７（３７ａ，３７ｂ）と前記ピニオンギア３９とはラック保持部材４０，４０により、前記ラック３７（３７ａ，３７ｂ）が前記トラス梁１２上で前記回転シャフト３２（３２ａ，３２ｂ）と直交するように組み付けられており、前記スライドバー３４（３４ａ，３４ｂ）は、前記回転シャフト３２（３２ａ，３２ｂ）の回転により前記トラス梁１２上を水平移動できるように取り付けられている。
【００３９】
そして、前記スライドバー３４（３４ａ，３４ｂ）には、開閉アーム固定部材４１，４１・・により、開閉アーム５０（５０ａ，５０ｂ）が、揺動自在に取り付けられている。
【００４０】
図１０は天窓の閉状態を示す内部からの概略図であり、図１１は天窓の開状態を示す内部からの概略図である。
【００４１】
図１０及び図１１に更に詳細に示すように、前記開閉アーム５０（５０ａ，５０ｂ）は、長尺のパイプで形成されるメインアーム５１（５１ａ，５１ｂ）と、前記メインアーム５１（５１ａ，５１ｂ）の途中の両側から左右に拡がるようにメインアーム５１（５１ａ，５１ｂ）よりやや短いパイプで形成されるサブアーム５２（５２ａ，５２ｂ）が固定されて形成される。
【００４２】
したがって、前記スライドバー３４ａ，３４ｂを前記トラス梁１２の上に近接して配置する場合であっても、図１０に示すように、前記天窓２０（２０ａ，２０ｂ）が閉鎖状態の場合においても、前記メインアーム５１ａと前記メインアーム５１ｂが抵触しないように、正面視においてＸ字状となるように前記スライドバー３４ａ，３４ｂに夫々取り付けることができる。
【００４３】
前記天窓２０（２０ａ，２０ｂ）を開放する場合は、前記電動モータ３１ａ，３１ｂを駆動させて、前記回転シャフト３２ａ，３２ｂを回転させ、前記回転シャフト３２ａ，３２ｂに設けた前記ピニオン３９及び前記ラック３７（３７ａ、３７ｂ）を介して、前記スライドバー３４ａ，３４ｂを前記各天窓２０ａ，２０ｂの開放方向に向けて水平移動させ、前記開閉アーム５０（５０ａ，５０ｂ）を上方に向けて押し上げるように揺動させるのである。
【００４４】
前記天窓２０（２０ａ，２０ｂ）の開放移動時は、図１１に示すように、前記開閉アーム５０ａ，５０ｂは、夫々離間する方向に移動するので、前記開閉アーム５０ａ，５０ｂ間で抵触することはない。
【００４５】
以上のような構成からなるため、本発明に係る天窓の開閉構造３０は、前記農業用温室１０を構成する構成部材である前記トラス梁１２の上に設置することができるので、別途梁や支柱を設ける必要はない。また、一対の前記スライドバー３４ａ，３４ｂを、比較的幅狭の前記トラス梁１２の上に並行して設置しても、前記開閉アーム５０（５０ａ，５０ｂ）は、前記天窓２０（２０ａ，２０ｂ）の開閉動作中に、一の開閉アーム５０ａが他の開閉アーム５０ｂと抵触することはない。
【００４６】
図１２は実施例を示す部分拡大正面図である。図１２に示すように、前記トラス梁１２を、角パイプ材にて形成される梁材１２０として構成しても良い。この場合は、前記梁材１２０は、剛性を高めるため、前記支柱１１と剛接合すると良い。
【００４７】
なお、前記各実施態様においては、前記電動モータ３１を２つ使用し、前記天窓２０ａ，２０ｂの夫々を個別に駆動できるように構成しているが、一の電動モータ３１で前記天窓２０（２０ａ，２０ｂ）を開閉するように構成しても良い。この場合は、前記天窓２０ａ及び前記天窓２０ｂの開閉は一系統で行われる。また、この場合はクラッチ（図示せず）で前記スライドバー３４ａと前記スライドバー３４ｂとの駆動を切り替え、前記天窓２０ａ及び前記天窓２０ｂを個別に開閉できるように構成しても良い。
【符号の説明】
【００４８】
１０・・・農業用温室
１１・・・支柱
１１ａ・・サイドポール
１２・・・トラス梁
１３・・・アーチ受材
１４・・・アーチパイプ
１５・・・アーチパイプ接続部材
１６・・・棟部材
１７・・・もや部材
１８・・・結束部材
１９・・・天窓支持部材
２０・・・天窓
２１・・・天窓上枠材
２２・・・天窓下枠材
２３・・・縦桟部材
２４・・・ヒンジ部材
３０・・・天窓開閉構造
３１（３１ａ，３１ｂ）・・・電動モータ
３２（３２ａ，３２ｂ）・・・回転シャフト
３３・・・回転シャフト支持部材
３４（３４ａ，３４ｂ）・・・スライドバー（駆動軸）
３５・・・基台
３６・・・スライドバー支持部材
３７（３７ａ，３７ｂ）・・・ラック
３８・・・ラック固定部材
３９・・・ピニオン
４０・・・ラック保持部材
４１・・・開閉アーム固定部材
５０（５０ａ，５０ｂ）・・・開閉アーム
５１（５１ａ，５１ｂ）・・・メインアーム
５２（５２ａ，５２ｂ）・・・サブアーム
Ｘ・・・横方向
Ｙ・・・奥行方向
【図１】
2017192311.tif 000003
【図２】
2017192311.tif 000004
【図３】
2017192311.tif 000005
【図４】
2017192311.tif 000006
【図５】
2017192311.tif 000007
【図６】
2017192311.tif 000008
【図７】
2017192311.tif 000009
【図８】
2017192311.tif 000010
【図９】
2017192311.tif 000011
【図１０】
2017192311.tif 000012
【図１１】
2017192311.tif 000013
【図１２】
2017192311.tif 000014